(57)【要約】【課題】マイクロＳＤカードの如き、極小型軽量のメモリーカードの収納、携行に必要な簡単で便利な収納容器がなく、収納、整理に不便であることを解消すると共に、メモリーカードの紛失、小児の誤飲等の事故を防止する。【解決手段】薄板状の台板１に、メモリーカード２を収納する収納部３を設け、該収納部３は、空間を有する孔部４と、該空間にメモリーカード２を保持する保持部５とを備えて形成したことを特徴とするメモリーカード用収納器１０。【選択図】図１
2011093604.tif 000002
【特許請求の範囲】
【請求項１】
薄板状の台板に、メモリーカードを収納する収納部を設け、該収納部は、空間を有する孔部と、該空間にメモリーカードを保持する保持部とを備えて形成したことを特徴とするメモリーカード用収納器。
【請求項２】
前記台板の側端間に前記収納部と交わる切溝を設けると共に、当該切溝の対向する両側面に係止片と係合部を設けたことを特徴とする請求項１に記載のメモリーカード用収納器。
【請求項３】
前記保持部は、前記孔部の対向部から突出させた突部を備えて構成されることを特徴とする請求項１又は請求項２に記載のメモリーカード用収納器。
【請求項４】
前記収納部にメモリーカードを収納し、別途形成の蓋体をもって該メモリーカードを保持させることを特徴とする請求項１乃至３の何れかに記載のメモリーカード用収納器。
【請求項５】
前記収納部の側端面に、２側又は４側面から弾性片を張出形成させ保持部としたことを特徴とする請求項１乃至４の何れかに記載のメモリーカード用収納器。
【請求項６】
前記台板の前記収納部周辺に柔軟性を有する複数の柱状体を設け、当該複数の柱状体の少なくとも一部を前記収納部内に突出形成させ、前記保持部は、前記収納部内に突出形成させた柱状体を備えて構成されることを特徴とする請求項１から３のうち何れか１項に記載のメモリーカード用収納器。
【請求項７】
前記台板の一端又は両端に、前記台板の側端間に設けた切溝により折曲自在な折返片を形成すると共に、台板と折返片或いは折返片同士で係合する係止片及び係合部を設けたことを特徴とする請求項１乃至請求項４の何れかに記載のメモリーカード用収納器。
【発明の詳細な説明】
【技術分野】
【０００１】
本発明は、マイクロＳＤカード等のメモリーカードを収納、保管するための収納器に関するものである。
【背景技術】
【０００２】
ＣＤやレコード・テープ等の各種情報を塔載するツールは多種多様であり、夫々を収納する収納器も多種に分かれており、その構造も無数である。
しかして、マイクロＳＤカード等のメモリーカードの如く構成上極めて小さく、しかも薄く形成されているメディア媒体を収納且つ持ち運び出来るような収納器は提案されていない。これらマイクロＳＤカード等のメモリーカードの如き製品は、そのメディア収納情報量が極めて大きく、しかも極小であり、持ち運び、収納保管或いは展示に場所もとらず、多数の商品展開や狭いスペースで販売等の商品メリットが大である。
【０００３】
しかし、小型軽量が故に、紛失や小児の誤飲等の事故の招来が危虞されている。更に、このように極小型の製品であるが故に、その収納方法も収納具も定まらなかった。そこで、メモリーカードの収納ケースが提案され、例えば、蓋部と身部からなり、身部の底部から立爪支持部や押し出し機構が設けられた箱状の収納ケースが提案されている（特許文献１参照。）。
【先行技術文献】
【特許文献】
【０００４】
【特許文献１】特開２００９−２０２８９０号公報
【発明の概要】
【発明が解決しようとする課題】
【０００５】
しかし、従来のケースは、箱状であって、身部の底部から立爪支持部や押し出し機構が設けられているため、嵩があり、財布、定期券入れ、ポケット等に入れることが出来ず、携帯に不便であった。
【０００６】
そこで本発明は、上記の問題に対応して、小型軽量のメモリーカードを確実且つ安全に収納して、財布、定期券入れ、場合によってポケット等に入れ、携行を容易とすることが出来るようにすることを目的とするものである。
【０００７】
又、小型軽量のために見失い易く、紛失しがちで、小児の誤飲事故を招来しかねない小型のメモリーカードを、取り出し易く収納し、身近に置くことが出来る収納器を提案せんとするものである。
【課題を解決するための手段】
【０００８】
上記課題を解決するため本願発明は、各人が近年誰でも携行している銀行カードや各社のクレジット用に提供されるカード型基材を基本とし、これにマイクロＳＤカード等のメモリーカードを収納或いは定置させるメモリーカードの収納器であり、具体的には、薄板状の台板に、メモリーカードを収納する収納部を設け、該収納部は、空間を有する孔部と、該空間にメモリーカードを保持する保持部とを備えて形成したことを特徴とするメモリーカード用収納器である。
【０００９】
又、上記メモリーカード用収納器において、前記台板の側端間に前記収納部と交わる切溝を設けると共に、当該切溝の対向する両側面に係止片と係合部を設けたことを特徴とするメモリーカード用収納器である。
【００１０】
又、上記メモリーカード用収納器において、前記保持部は、前記孔部の対向部から突出させた突部を備えて構成されることを特徴とするメモリーカード用収納器である。
【００１１】
又、上記メモリーカード用収納器において、前記台板の前記収納部周辺に柔軟性を有する複数の柱状体を設け、当該複数の柱状体の少なくとも一部を前記収納部内に突出形成させ、前記保持部は、前記収納部内に突出形成させた柱状体を備えて構成されることを特徴とするメモリーカード用収納器である。
【００１２】
又、記収納部の側端面に、２側又は４側面から弾性片を張出形成させ保持部としたことを特徴とするメモリーカード用収納器である。
【００１３】
又、前記台板の前記収納部周辺に柔軟性を有する複数の柱状体を設け、当該複数の柱状体の少なくとも一部を前記収納部内に突出形成させ、前記保持部は、前記収納部内に突出形成させた柱状体を備えて構成されることを特徴とするメモリーカード用収納器。
【００１４】
又、上記メモリーカード用収納器において、前記台板の一端又は両端に、前記台板の側端間に設けた切溝により折曲自在な折返片を形成すると共に、台板と折返片或いは折返片同士で係合する係止片及び係合部を設けたことを特徴とするメモリーカード用収納器である。
【発明の効果】
【００１５】
本発明によれば、従来、小型軽量であるため適当な収納器、収納場所がなく、その置き場所、携行に苦労していたマイクロＳＤカードの如き小型のメモリーカードの収納、携帯に便利な収納器を提供することが出来た。
【００１６】
又、本発明によれば、マイクロＳＤカードの如き小型軽量のメモリーカードを、常々携行しているクレジットカード、銀行カード等と略同様の収納器に収納することが出来、簡単に収納し携行して、メモリーカードの取り出し収納が出来、どこでもメモリーカードを使用しうる状態に置けるようになった。
【００１７】
また、収納器への収納によって、紛失や小児の誤飲等の事故が防止出来た。更に、収納器への装飾も出来、各種の宣伝媒体としての使用にも便利となった。
【図面の簡単な説明】
【００１８】
【図１】本発明一実施例斜面図である。
【図２】本発明一実施例使用状態説明斜面図である。
【図３】図１のＸ−Ｘ線断面図である。
【図４】図１のＹ−Ｙ線断面図である。
【図５】本発明他実施例斜面図である。
【図６】本発明他実施例斜面図である。
【図７】本発明他実施平面図である。
【図８】本発明他実施平面図である。
【図９】本発明他実施例平面図である。
【図１０】本発明他実施例開蓋斜面図である。
【図１１】本発明他実施例閉蓋平面図である。
【図１２】本発明実施例説明側面図である。
【図１３】本発明実施例要部拡大平面図である。
【発明を実施するための形態】
【００１９】
以下、図に示す実施例により、本発明を詳細に説明する。
図１において、メモリーカード用収納器１０は、台板１を備えて構成され、台板１は薄板状であって、プラスチック板、紙板、金属薄板、木製薄板等を用い、銀行カードや各種クレジットカード等と同程度の薄さ、大きさを有する形状に形成される。この平面形状は、限定されるものではなく、長方形、四方形、丸型等、各種選定自在である。
【００２０】
２はメモリーカード、例えば現在市販されているマルチメディアカード（ＭＭＣ）、ＳＤメモリーカード、マイクロＳＤカード、メモリースティック（ＭＳ）、スマートメディア（ＳＭ）等のメモリーカードであるが、その種類、大きさは台板１に収納されるものであれば特に限定されない。
【００２１】
３は収納部で、メモリーカード２を収納できる形状であれば良い。ここで収納とは、メモリーカード２が台板１に固定され、或いは離脱しない範囲で拘束されることをいう。
また、メモリーカード２の収納部３へ又は収納部３からの出入りが容易且つ円滑に行われることが必要である。収納部３は、台板１に空間を有する孔部４を形成させると共に、該孔部４にメモリーカード２を保持する保持部５を設けて構成することが出来る。
【００２２】
孔部４は、上下の抜けた貫通孔でも良いし、折り曲げ可能なように底部４１を薄く残す凹形、船底形でも良い。また、その大きさも収納するメモリーカード２の形状に適合させて、略同型、同大に形成する場合もあるが、やや大型に形成する場合もある。
【００２３】
保持部５は、孔部４が貫通孔である場合、空間としての孔部４の上下端に突部、即ち突起５１，５１…、又は薄片状の突片を張出させて形成し、メモリーカード２を狭持させて、保持することが出来る。突部はメモリーカード２を載置し、押える受部と押さえ部を兼ねる部材である。この場合、上下一方の突起５１，５１を薄く或いは小さく形成し、弾力性を持たせることは推奨される。
【００２４】
又、保持部５は、孔部４の底部４１と孔部４の上端に空間方向に張出させた突起５１，５１で形成し、底部４１と突起５１間にメモリーカード２を狭持させる構成とすることも出来る。この場合、突起５１と収納されるメモリーカード２間に多少のスペースがあっても良い。この場合、突起５１，５１は、適度の弾性により、メモリーカード２の出し入れの際の弾圧により折り曲げられ、出入りの容易さが生まれる。
【００２５】
又、台板１に収納部３を形成し、保持部５にメモリーカード２を保持させ、その上部には、図示しないが、台板１に、回動自在或いは摺動自在に別途蓋体を設け、蓋体を回転させたり、スライドさせることにより、メモリーカード２を保持、保護させることも出来る。
【実施例１】
【００２６】
図１から図４に示すように、メモリーカード用収納器１０は、台板１を、台板１の側端間に渡って設けられた、中央の切溝１１により折り曲げ自在に構成してある。切溝１１は収納部３と交わり、収納部３は、切溝１１の両側に跨って空間としての１個の孔部４が形成され、孔部４の上端縁に保持部５を構成する突部、即ち突起５１，５１、又は薄片状の突片が形成されている。又、孔部４には、底部４１が形成されている。更に、切溝１１を構成する対向する両側面に夫々係止部１２、係合部１３を形成させてある。使用に当たり、台板１を折り曲げ、切溝１１間の収納部３を拡開し、その孔部４にメモリーカード２を収納させ、台板１を元の水平に戻す。しかる時、係止部１２は係合部１３に係合し、台板１の平面状態を固定すると共に、空間としての孔部４が固定され、メモリーカード２は孔部４内に置かれ、且つ上部は突起５１，５１により保持される。切溝１１の底部１５は、折曲自在となるように薄く構成してある。
【００２７】
又、図示はしないが、孔部４を上下の抜けた貫通孔とした場合、孔部４の上下端縁に保持部５を構成する突起５１，５１、又は薄片状の突片を形成して構成することが出来る。。又、台板１にデザインを施し、或いは写真、絵等を以って飾り、或いは宣伝媒体として使用することは推奨される。
【実施例２】
【００２８】
図５に示すように、メモリーカード用収納器１０は、台板１に収納部３としての孔部４を穿設してある。孔部４の隅角部には、一端辺側には、孔部４の上下端に突起５１，５１を形成し、メモリーカード２の先端を突起５１，５１間に挿入し、他端辺側の下側に形成した突起５１，５１上に載置させる。この際、他端辺側の突起５１，５１上方には、柔軟性或いは有弾性の突片５２，５２を形成させて置き、メモリーカード２の他端を押し下げて、突片５２を変形させて、メモリーカード２を突起５１，５１、突片５２，５２間に保持させる。
【００２９】
尚、突部、即ち突起５１又は／及び突片５２は、必ずしも孔部４の隅角部に形成する必要はなく、孔部４の対向部から突出させても良い。
【実施例３】
【００３０】
図６には、本発明実施例３を示す。
実施例３において、メモリーカード用収納器１０は、上記実施例２の空間の孔部４を、メモリーカード２より片側に大きく空間３２を作る如く形成し、空間３２に指を入れてメモリーカード２を摘むことが出来るように構成してある。
また、この場合、台板１が薄い場合、或いは台板１と同程度又はより厚いメモリーカード２を使用する場合、図示しないが、図２に示すような突起５１、突片５２の両方或いは一方を台板１の面より上方又は下方或いは上下共に突出させて形成することも出来る。
【実施例４】
【００３１】
メモリーカードの収納器１０は、台板１に、実施例１における収納部３を複数設けた構造とすることが出来る。図７に示す如く、切溝１１上に両側に空間としての孔部４を適宜間隔に３個設けてある。勿論、孔部４の個数は限定されない。
【実施例５】
【００３２】
図８に示す如く、実施例５においては、メモリーカード用収納器１０は、台板１の側面から中央方向に穿孔して、収納部３を設け、メモリーカード２を挿入する構成としている。この収納部３は、台板１がメモリーカード２より厚みがある場合は、台板１にメモリーカード２の挿入空間を形成するだけで良いが、メモリーカード２が台板１と同程度の厚み、更にはより厚さがある場合は、台板１上面を盛り上げたり、上下面の両面を盛り上げて収納部３を形成することが出来る。台板１の一部の盛り上げは、財布、定期券入れ、バック等の収納携行には支障がない程度に形成するのが良い。
又、メモリーカード２の保持には、収納部３の孔部４の片側又は両側側面を狭小化させて狭持したり、突起を設けて保持させることも出来る。
【実施例６】
【００３３】
図９に示す如く、実施例６においては、メモリーカード用収納器１０は、台板１に収納部３を構成する孔部４を形成させると共に、孔部４周辺の台板１上に弾性のある柱状体３１，３１…を複数本植立させ、当該複数の柱状体の少なくとも一部を前記収納部内に突出形成させ、即ち孔部４上周囲を囲むように孔部４上に張出してある。孔部４の底部には、別の台板１を設けたり、孔部４上に適宜数の突起５１或いは突片を設けておくことも出来る。メモリーカード２の収納時には、柱状体３１，３１…を押しのける型で孔部４に収納させる。メモリーカード２は、孔部４の底部においては上記の底部、突起、突片等により支持され、上部は拡縮自在の柱状体３１，３１…に押されて支持されている。また、必要に応じ、孔部４の周囲上には突起、突片を設けてメモリーカード２を保持することも出来る。
【００３４】
又、この柱状体３１，３１，３１…は、台板１の全面又は一部を覆う如く構成することも出来、デザイン、感触に秀れたメモリーカード用収納器とすることが出来る。
【実施例７】
【００３５】
図１０，１１に示す如く、実施例７においては、メモリーカード用収納器１０は、台板１の両側に、台板１の側端間に設けた切溝１１，１１により折返片１４，１４を形成させる。メモリーカード２は、台板１に設けた収納部３としての空間たる孔部４に嵌合させ、蓋体となる折返片１４によりメモリーカード２を押さえる構成としている。或いは、孔部４を設けず、又は孔部を設けると共に、２個の折返片１４間には切込み窓１４１を設け、孔部４に収納したメモリーカード２を覗かせることが出来る。又、窓１４１には突起５１，５１を設け、メモリーカード２を保持させることも出来る。この折返片１４と台板１との固定のために、折返片１４同士の対向面、又は折返片１４と対向する台板１部分に夫々実施例１で示すような係止片、係合部その他の係止片、係合片を設けて留めることも出来る。
【００３６】
又、図示はしないが、台板１の１側部に切溝１１により、台板１と同形状の折返片１４を形成させた構成とすることも出来る。
【００３７】
又、台板１或いは折返片１４のみを透明材にて形成させ、台板１には各種のイラスト、広告等の絵、文字、その他を構出し、或いはそれらを構出した紙を貼付して使用することも出来る。
【００３８】
又、図１２に示す如く、台板１に収納部３を形成し、該収納部３にメモリーカード２を収納させ、別途蓋体６を被せ、該蓋体６を保持部５に係合保持させることが出来る。この際、蓋体６は板体であったり、十字状体であったり、メモリーカード２の抜け出しを防ぐものであれば良い。
又、材質は、適度の弾性のあるものであれば保持部５への係合は容易であり、硬質のものであれば台板１に切溝１１を設けて図１の如く拡開、元の水平に戻して係合させることも出来る。
【００３９】
図１３に示す如く、台板１に形成した収納部３内に弾性片５３，５３を張出させて、メモリーカード２の保持部５とすることも出来る。収納部３の側端面３２，３２に両側から又４側面から弾性片５３，５３…を張出させ、弾性片５３，５３間にメモリーカード２を保持させる。この弾性片５３，５３は、台板１、収納部３の形成に際して、同時に一体成形出来るので、製造は簡単である。
又、収納部３の形成に際して、底部４１を設けることは推奨される。
【００４０】
尚、本発明は、上記実施例に限定されることなく、又、上記実施例を適宜組み合わせて構成されるメモリーカード用収納器を含むものである。
【符号の説明】
【００４１】
１        台板
１０      メモリーカード用収納器
１１      切溝
１２      係止片
１３      係合部
１４      折返片
２        メモリーカード
３        収納部
３１      柱状体
３３      孔部
４        孔部
４１      底部
５        保持部
５１      突起
５２      突片
【図１】
2011093604.tif 000003
【図２】
2011093604.tif 000004
【図３】
2011093604.tif 000005
【図４】
2011093604.tif 000006
【図５】
2011093604.tif 000007
【図６】
2011093604.tif 000008
【図７】
2011093604.tif 000009
【図８】
2011093604.tif 000010
【図９】
2011093604.tif 000011
【図１０】
2011093604.tif 000012
【図１１】
2011093604.tif 000013
【図１２】
2011093604.tif 000014
【図１３】
2011093604.tif 000015